(57)【特許請求の範囲】
【請求項１】
配電盤内に形成された格納部に格納される電気機器を収納するケージと、
前記電気機器を収納したケージを昇降可能に吊支する吊具と、
を備え、
前記吊具は、
前記配電盤に設けられ、前記格納部の上方に延在する支柱と、
当該支柱に取り付けられた巻上ウインチと、
を備え、
前記ケージは、
前記電気機器を載置する座部が設けられた枠体と、前記巻上ウインチに連結される連結部とを備え、
前記ケージに収納され、かつ当該ケージを介して吊るされた状態の前記電気機器を、前記配電盤との間で出し入れ可能としたことを特徴とする搬出入装置。
【請求項２】
前記ケージを前記配電盤に固定する固定部をさらに備える
ことを特徴とする請求項１に記載の搬出入装置。
【請求項３】
前記固定部は、前記ケージに設けられており、
前記配電盤の前面に当接自在とした支持具と、
当該支持具により、前記ケージを前記配電盤から所定間隔だけ離隔させた状態で前記配電盤側と係合して前記ケージを保持する係合具とを備える
ことを特徴とする請求項２に記載の搬出入装置。
【請求項４】
前記ケージは、
複数の走行輪を備える
ことを特徴とする請求項１〜３のいずれか１つに記載の搬出入装置。
【請求項５】
前記支柱は、
前記配電盤の天井面に立設された下部支柱と、
当該下部支柱から水平方向に伸延した上部支柱と、
を備え、
前記下部支柱は、水平方向に旋回可能に取付けられた前記上部支柱を、複数の所定旋回角度で固定可能とした位置決め部を備えるとともに、前記上部支柱には、長手方向の所定位置に前記巻上ウインチを取付け可能としたウインチ取付部が形成されている
ことを特徴とする請求項１〜４のいずれか１つに記載の搬出入装置。
【請求項６】
前記下部支柱の背面に複数の補強リブが設けられており、
前記各補強リブは、前記複数の所定旋回角度にそれぞれ対応して配置されている
ことを特徴とする請求項５に記載の搬出入装置。
【請求項７】
前記配電盤は、前記格納部に対応する位置に前記支柱を取付ける支柱取付部が設けられており、
前記支柱は、
前記各支柱取付部に着脱自在に取付可能である
ことを特徴とする請求項１〜４のいずれか１つに記載の搬出入装置。
【請求項８】
前記支柱取付部は、前記格納部が多段に形成された複数の列に一対一で対応するように、前記配電盤の天井面に設けられ、
前記支柱は、
前記各支柱取付部に選択的に着脱可能に取付けられる下部支柱と、
当該下部支柱から水平方向に伸延し、長手方向の所定位置に前記巻上ウインチを取付け可能としたウインチ取付部が形成された上部支柱と、
を備える
ことを特徴とする請求項７に記載の搬出入装置。
【請求項９】
前記ケージは、
前記配電盤の前記格納部との間に掛け渡し可能な架台が、前記枠体あるいは前記座部に収納取出自在に設けられている
ことを特徴とする請求項１〜８のいずれか１つに記載の搬出入装置。
【請求項１０】
前記ケージは、
前記格納部内に格納された前記電気機器を引き出すための巻取ウインチを備える
ことを特徴とする請求項１〜９のいずれか１つに記載の搬出入装置。
【請求項１１】
前記ケージは、
前記巻取ウインチと前記電気機器とを連結するワイヤを案内するワイヤガイド部を備える
ことを特徴とする請求項１０に記載の搬出入装置。
【請求項１２】
前記電気機器を、前記ケージに収納した状態で当該ケージと固定する機器固定具を備える
ことを特徴とする請求項１〜１１のいずれか１つに記載の搬出入装置。
【請求項１３】
前記ケージの前記座部に、電気機器に設けた複数のキャスタのうち、すくなくとも１つのキャスタを落とし込む凹部を設けた
ことを特徴とする請求項１〜１２のいずれか１つに記載の搬出入装置。
【発明の詳細な説明】
【技術分野】
【０００１】
開示の実施形態は、搬出入装置に関する。
【背景技術】
【０００２】
従来、配電盤内に段積みされた電力変換用パワーセルなどの電気機器をメンテナンスする場合、例えばクレーンタイプの搬出入装置が用いられていた（例えば、特許文献１を参照）。
【０００３】
特許文献１に開示された搬出入装置は、設備の天井部に吊具を装備した着脱レールを取り付けた構成となっている。
【先行技術文献】
【特許文献】
【０００４】
【特許文献１】実開平０３−１２０６１０号公報
【発明の概要】
【発明が解決しようとする課題】
【０００５】
しかしながら、上述した従来の搬出入装置は、例えば、風力発電用に用いられる電力変換用パワーセルを収納した設備に適用することは難しい。すなわち、風力発電用の電力変換用パワーセルは、比較的に重量物であり、実際には設備内から引き出すことも容易ではない。また、引き出した後に所定の場所まで移動させることも難しい。
【０００６】
また、設備は、風力発電用のタワー内に構築されるが、タワー内の有効スペースは極めて狭い場合があり、小型で取り扱いの容易な搬出入装置が望まれている。
【０００７】
実施形態の一態様は、上記に鑑みてなされたものであって、段積みされて格納された重量物である電気機器を、狭所であっても所定の場所に容易に搬送可能な搬出入装置を提供することを目的とする。
【課題を解決するための手段】
【０００８】
実施形態の一態様に係る搬出入装置は、配電盤内に格子状に形成された格納部に格納される電気機器を収納するケージと、前記電気機器を収納したケージを昇降可能に吊支する吊具とを備える。前記吊具は、前記配電盤の天井面に立設された支柱と、当該支柱に取り付けられた巻上ウインチとを備え、前記ケージは、前記電気機器を載置する座部が設けられた枠体と、前記巻上ウインチに連結される連結部とを備える。そして、前記ケージに収納され、かつ当該ケージを介して吊るされた状態の前記電気機器を、前記配電盤との間で出し入れ可能とした。
【発明の効果】
【０００９】
実施形態の一態様によれば、段積みされて格納された重量物である電気機器を、狭所であっても所定の場所に容易に搬送することができる。
【図面の簡単な説明】
【００１０】
【図１】図１は、実施形態に係る配電盤全体を示す概要図である。
【図２Ａ】図２Ａは、実施形態に係るケージが備える架台の収納状態を示す説明図である。
【図２Ｂ】図２Ｂは、同架台の使用状態を示す説明図である。
【図３Ａ】図３Ａは、実施形態に係る吊具を前方から見た斜視図である。
【図３Ｂ】図３Ｂは、同吊具を後方から見た斜視図である。
【図４Ａ】図４Ａは、実施形態に係る搬出入装置の使用状態を示す説明図である。
【図４Ｂ】図４Ｂは、同搬出入装置の使用状態を示す説明図である。
【図４Ｃ】図４Ｃは、同搬出入装置の使用状態を示す説明図である。
【図４Ｄ】図４Ｄは、同搬出入装置の収納状態を示す説明図である。
【図５Ａ】図５Ａは、実施形態に係る吊具が備える位置決め部の説明図である。
【図５Ｂ】図５Ｂは、同位置決め部の説明図である。
【図５Ｃ】図５Ｃは、同位置決め部の説明図である。
【図５Ｄ】図５Ｄは、同位置決め部の説明図である。
【図６】図６は、実施形態に係るケージが備える支持具の構成を示す説明図である。
【図７】図７は、同ケージが備える架台および係合具の使用手順を示す説明図である。
【図８】図８は、係合具の動作説明図である。
【図９】図９は、実施形態に係るケージの配電盤への固定状態を示す説明図である。
【図１０】図１０は、図９に示した領域Ｓの拡大図である。
【図１１】図１１は、同ケージを配電盤に掛け渡した状態を示す説明図である。
【図１２】図１２は、実施形態に係る巻取ウインチの説明図である。
【図１３】図１３は、実施形態に係るワイヤガイド部の説明図である。
【図１４】図１４は、実施形態に係るケージが備える機器固定具の説明図である。
【図１５】図１５は、他の実施形態に係る吊具の説明図である。
【００１１】
以下に、本願の開示する搬出入装置の実施形態を、図面に基づいて詳細に説明する。なお、この実施形態によりこの発明が限定されるものではない。
【００１２】
図１は、実施形態に係る搬出入装置２を備えた配電盤１の全体を示す概要図である。先ず、図１を参照しながら、配電盤１および搬出入装置２の概要について説明する。本実施形態に係る配電盤１は、たとえば電力変換用パワーセルなどの電気機器３を複数の格納部１０に格納した箱型ケーシング１１を有し、所定の発電設備などに配設されている。
【００１３】
電気機器３が格納される格納部１０は、図示するように、格子状に９つ（３×３）形成されており、電気機器３の出し入れ口となる前面開口部は蓋体１３で閉塞されている。蓋体１３には格納部１０内と連通するとともに、フィルタを配設した吸気部１２が形成されている。なお、格納部１０の数については、ここでは９つとしたが、必要に応じて適宜設定することができる。
【００１４】
実施形態に係る搬出入装置２は、電気機器３を格納部１０内に搬入するための、あるいは格納部１０から取り出された電気機器３を収納するためのケージ４と、電気機器３を収納したケージ４を昇降可能に吊支する吊具５とを備えている。
【００１５】
吊具５は、配電盤１の箱型ケーシング１１の天井面１４に立設された支柱６と、この支柱６に取り付けられ、吊下ワイヤ７１を介してケージ４を昇降可能とした巻上ウインチ７とを備えている。
【００１６】
すなわち、箱型ケーシング１１の天井面１４は矩形形状となっており、その前面側（ここでは、配電盤１の蓋体１３が設けられた面を前面とする）の略中央位置に、支柱６の一部を構成する下部支柱６１を立設している。そして、この下部支柱６１から水平に上部支柱６２を延在させ、上部支柱６２に巻上ウインチ７が取り付けられている。
【００１７】
上部支柱６２は、下部支柱６１に対して水平方向に旋回可能に取付けられており、配電盤１において、格納部１０が多段（ここでは３段）に形成された複数の列（ここでは３列）の位置に合わせて旋回させることができる。なお、図示するように、支柱６の奥側には、配電盤１の内部を冷却するための空冷装置１５が配設されている。
【００１８】
また、ケージ４は、電気機器３を載置する座部４１が設けられた枠体４０と、巻上ウインチ７に連結される連結部とを備えている。本実施形態に係るケージ４では、連結部を、略直方体形状とした枠体４０の上部４隅に設けたアイボルト４２により構成している。しかし、連結部は、アイボルト４２を用いるに限らず、吊下ワイヤ７１を連結可能であればどのような構成であっても構わない。
【００１９】
また、枠体４０の下部４隅には、それぞれ走行輪４３が設けられており、これら４つの走行輪４３によって、床面などを手押しによって自在に走行移動することができる。
【００２０】
こうして、９つのうちいずれかの格納部１０に格納される電気機器３をケージ４に収納するとともに、これを吊具５の上部支柱６２から垂下された吊下ワイヤ７１を介して吊支して、昇降させることができる。そして、ケージ４を床面などに降ろした後は、走行輪４３によって所望の場所まで移動することができる。
【００２１】
このように、本実施形態に係る搬出入装置２は、配電盤１内に格子状に形成された格納部１０に格納される電気機器３を収納するケージ４と、電気機器３を収納したケージ４を昇降可能に吊支する吊具５とを備えている。そして、吊具５は、配電盤１の天井面１４に立設された支柱６と、この支柱６に取り付けられた巻上ウインチ７とを備えている。また、ケージ４は、電気機器３を載置する座部４１が設けられた枠体４０と、巻上ウインチ７に連結されるアイボルト４２（連結部）とを備える構成となっている。
【００２２】
以下、吊具５の構成について、図２〜図１４を参照しながらより具体的に説明する。図２Ａは、ケージ４が備える架台４７の収納状態を示す説明図、図２Ｂは、同架台４７の使用状態を示す説明図である。
【００２３】
図示するように、ケージ４は、矩形形状の座部４１を備えている。なお、説明の便宜上、ケージ４においては、図２Ａに示すように、矢印Ａで指し示す側、すなわち、架台４７が設けられた側を前側とする。座部４１の４隅には、それぞれ縦フレーム４４が立設されており、前側の縦フレーム４４，４４と後側の縦フレーム４４，４４の各上端間を第１横フレーム４５で連結している。そして、第１横フレーム４５，４５同士を、第２横フレーム４６，４６で連結して、略直方体形状の強固な枠体４０を構成している。
【００２４】
そして、かかる枠体４０の前側に、配電盤１の格納部１０との間に掛け渡し可能な架台４７が、収納取出自在に設けられている。ここでは、架台４７は、座部４１の前縁側に枢支連結されて倒伏自在に構成されているが、枠体４０に対して枢支連結される構成であってもよい。
【００２５】
架台４７は、不使用状態では、図２Ａに示すように、起立した状態でケージ４に収納されているが、使用状態では、図２Ｂに示すように倒伏した状態となる。そして、ケージ４と配電盤１の格納部１０との間に掛け渡されることによって、格納部１０とケージ４との間で、電気機器３の移動を円滑に行えるようにしている。なお、電気機器３は、下面に４輪のキャスタ３２（図１３を参照）を備えており、キャスタ３２を転動させて移動することが可能である。
【００２６】
また、枠体４０の上部４隅には、それぞれアイボルト４２が設けられており、前述したように、これら４つのアイボルト４２が、吊下ワイヤ７１を介して巻上ウインチ７と連結する連結部を構成する。
【００２７】
また、図示するように、ケージ４は、格納部１０内に格納された電気機器３を引き出すための巻取ウインチ８を備えている。巻取ウインチ８は、座部４１の一方の長辺側に設けられている。
【００２８】
次に、図１および図３Ａ，３Ｂを参照して、吊具５について説明する。図３Ａは、吊具５を前方から見た斜視図、図３Ｂは、同吊具５を後方から見た斜視図である。図示するように、吊具５は、支柱６と、この支柱６に設けられた巻上ウインチ７とを備える。巻上ウインチ７は、後述するウインチ取付具７２に連結するための上部フック７３と、吊下ワイヤ７１を連結する下部フック７４とを備えている。
【００２９】
支柱６は、配電盤１の天井面１４に立設された下部支柱６１と、この下部支柱６１から水平方向に伸延した上部支柱６２とから構成される。そして、この上部支柱６２に、巻上ウインチ７がウインチ取付具７２を介して取り付けられている。
【００３０】
下部支柱６１は、配電盤１の天井面１４に固設される座板６１１上に、矩形形状の立板６１２が取り付けられ、この立板６１２の一側の主面に、上下に所定間隔をあけて上側ヒンジ部６１３ａおよび下側ヒンジ部６１４ａを設け、これら上側ヒンジ部６１３ａの上側枢軸６１３および下側ヒンジ部６１４ａの下側枢軸６１４を介して上部支柱６２を旋回自在に取り付けている。なお、立板６１２の一側の主面には、下側ヒンジ部６１４ａの下方位置にリブ６１８，６１８が設けられている。
【００３１】
他方、上部支柱６２は、略Ｌ字状に形成されており、立設された下部支柱６１と平行に縦方向に延在する基部部材６２１と、この基部部材６２１の上端から水平方向に延在する水平部材６２２とから構成されている。そして、基部部材６２１の下端部を下側枢軸６１４に連結するとともに、水平部材６２２の基端部を上側枢軸６１３に連結している。
【００３２】
また、図示するように、支柱６の下部支柱６１は、水平方向に旋回可能に取付けられた上部支柱６２を、複数の所定旋回角度で固定可能とした位置決め部６３を備えている。また、上部支柱６２には、長手方向の所定位置に巻上ウインチ７を取付け可能としたウインチ取付部６４が形成されている。
【００３３】
位置決め部６３は、後に詳述するが、プレート状に形成されており、位置決めピン６５が選択的に挿通される第１〜第４位置決め用孔６３１〜６３４（図５Ａ〜図５Ｄを参照）が形成されている。そして、かかる位置決め部６３は、図３Ａおよび図３Ｂに示すように、立板６１２の一側の主面の上側ヒンジ部６１３ａと下側ヒンジ部６１４ａとの間に設けられている。
【００３４】
また、ウインチ取付部６４は、図示するように、上部支柱６２の水平部材６２２の左右に形成されたフランジによってレールとして機能する。このように、レールとして機能するウインチ取付部６４に、当該ウインチ取付部６４を抱持した状態でスライド自在としたウインチ取付具７２を取り付け、このウインチ取付具７２に巻上ウインチ７を吊支している。なお、図示するように、ウインチ取付具７２には、フランジ上を転動する転動輪７２１と、巻上ウインチ７に設けられた上部フック７３を係止する係合部７２２とを備えている。
【００３５】
また、図３Ｂに示すように、下部支柱６１の背面には複数の補強リブ６１５，６１６，６１７が設けられている。しかも、各補強リブ６１５，６１６，６１７は、複数の所定旋回角度にそれぞれ対応して配置されている。すなわち、下部支柱６１の立板６１２の他側の主面に補強リブ６１５，６１６，６１７が所定間隔をあけて設けられており、かかる所定間隔は、上部支柱６２の旋回角度にそれぞれ１対１で対応するように設定されている。
【００３６】
したがって、例えば９０〜１００ｋｇあるような比較的重量物である電気機器３を巻上ウインチ７を介して吊下した場合、下部支柱６１の立板６１２には大きな荷重負荷が生じるが、荷重負荷方向に沿って補強リブ６１５，６１６，６１７が設けられているため、立板６１２の屈曲や座屈などを防止することができる。
【００３７】
ここで、図４Ａ〜図４Ｄおよび図５Ａ〜図５Ｄを参照しながら、配電盤１に設けられた吊具５を用いて、３段に形成された各列の格納部１０に対する電気機器３の出し入れについて簡単に説明する。図４Ａ〜図４Ｄは、搬出入装置２の使用状態を示す説明図、図５Ａ〜図５Ｄは、吊具５が備える位置決め部６３の説明図である。なお、ここでは、各列の最下段に位置する格納部１０を対象としているが、２段目あるいは３段目を対象とすることもできることは当然である。
【００３８】
図４Ａに示すように、配電盤１に向かって左の列の格納部１０に電気機器３を収納したり、あるいは、格納部１０から電気機器３を取り出したりする場合、吊具５の上部支柱６２は、第１の旋回角度で位置決め固定されている。
【００３９】
すなわち、図５Ａ〜図５Ｄに示すように、位置決め部６３には、第１〜第４位置決め用孔６３１〜６３４が穿設されており、各位置決め用孔６３１〜６３４は、上部支柱６２の旋回角度に対応する位置に設けられている。したがって、図４Ａに示すように、配電盤１に向かって左の列の格納部１０を対象とする場合、図５Ａに示すように、位置決めピン６５は第１位置決め用孔６３１に挿通される。なお、本実施形態における位置決めピン６５は、図５Ａ〜図５Ｄに示すように、連結紐６５１によって下部支柱６１の立板６１２に取り付けられている。
【００４０】
また、図４Ｂに示すように、配電盤１に向かって中央の列の格納部１０に電気機器３を収納したり、あるいは、格納部１０から電気機器３を取り出したりする場合、吊具５の上部支柱６２は、第２の旋回角度で位置決め固定されている。その場合、図５Ｂに示すように、位置決めピン６５は第２位置決め用孔６３２に挿通される。
【００４１】
さらに、図４Ｃに示すように、配電盤１に向かって右の列の格納部１０に電気機器３を収納したり、あるいは、格納部１０から電気機器３を取り出したりする場合、吊具５の上部支柱６２は、第３の旋回角度で位置決め固定されている。その場合、図５Ｃに示すように、位置決めピン６５は第３位置決め用孔６３３に挿通される。
【００４２】
なお、前述したように、巻上ウインチ７を吊下するウインチ取付具７２を、ウインチ取付部６４にスライド自在としている。そのため、対象となる格納部１０が含まれる列に合わせて、上部支柱６２を第１〜第３の旋回角度のいずれの位置に固定しても、ウインチ取付具７２はウインチ取付部６４上をスライドし、いつでもケージ４の位置の直上に巻上ウインチ７を位置させることができる。
【００４３】
ところで、搬出入装置２の不使用状態、すなわち、吊具５もケージ４も使用しない場合、吊具５の上部支柱６２は、図４Ｄに示すように、第４の旋回角度、すなわち、配電盤１の天井面１４内に収容される位置で固定される。その場合、図５Ｄに示すように、位置決めピン６５は第４位置決め用孔６３４に挿通される。なお、ケージ４は、適宜の場所に保管されるが、配電盤１の天井面１４の余剰スペースに保管することもできる。
【００４４】
次に、ケージ４のより具体的な構成について、当該ケージ４を配電盤１の所望の格納部１０に固定させる構造に主眼をおいて説明を加える。図６は、ケージ４が備える固定部の１つである支持具４８の構成を示す説明図である。図７は、架台４７および固定部の使用手順を示す説明図、図８は、係合具４９の動作説明図である。なお、係合具４９は、本実施形態におけるケージ４が備える固定部の１つである。図９は、ケージ４の配電盤１への固定状態を示す説明図、図１０は、図９に示した領域Ｓの拡大図、図１１は、同ケージ４を配電盤１に掛け渡した状態を示す説明図である。
【００４５】
図６に示すように、ケージ４は、枠体４０の前側に設けた架台４７（図２Ａおよび図２Ｂを参照）の下方に、当該ケージ４が配電盤１の前面に衝突したり、直接当接したりすることを防止しつつ、安定的に支持させるための支持具４８を設けている。
【００４６】
支持具４８は、図示するように、基端を座部４１側に固設した基部４８１と、先端にゴムなどの樹脂製のパッド４８２を設けた回動部４８３とを、蝶番４８４で折り畳み自在に連結した構成としている。
【００４７】
そして、図６（ａ）に示すように、不使用状態では、回動部４８３を内側に折り畳み、パッド４８２をケージ４側に向けた状態で収容している。一方、電気機器３の出し入れのために、ケージ４を配電盤１に連結する場合は、図６（ｂ）に示すように、回動部４８３を１８０度回動してパッド４８２を外方に向けて枠体４０から突出させる。
【００４８】
次に、ケージ４を配電盤１の各格納部１０の前面側に固定し、電気機器３を出し入れする際に用いる架台４７および係合具４９の構成および使用手順について、図７および図８を参照して説明する。
【００４９】
図７（ａ）は、架台４７および係合具４９の未使用状態であり、これを初期状態とすると、図示するように、架台４７は、不使用状態では、起立した状態でケージ４の枠体４０内に収納されている。架台４７は、蝶番４７２で連結されているのみであるため（図７（ｃ）を参照）、図示するように、前側の縦フレーム４４に設けられたストッパ４４１によって起立状態に支持されている。ストッパ４４１は、つまみ部４４２と、架台４７に設けられた係止ピン４７１と係合する切欠部４４３を備えている。
【００５０】
かかる初期状態から、図７（ｂ）に示すように、先ず、前述した支持具４８を展開し、パッド４８２を前方へ向けるとともに、係合具４９を前方へ倒す。このとき、図８（ａ）〜（ｃ）に示すように、係合具４９を上方へ一旦引き上げ、その後、前方へ倒すようにしている。
【００５１】
すなわち、図８（ａ）〜（ｄ）に示すように、係合具４９は、先端に鉤状の爪部４９１が形成されるとともに、基端に長孔４９２が形成されている。一方、ケージ４の枠体４０には、係合具取付部５０が設けられており、この係合具取付部５０に突設されたピン５２が係合具４９の長孔４９２に装嵌されている。そして、図８（ａ）に示すように、係合具取付部５０にストッパ体５３を突設し、起立した状態の係合具４９の基端部に当接するようにしている。したがって、起立した状態の係合具４９は、ストッパ体５３に当接して前方へ倒伏することはできない。
【００５２】
そのため、係合具４９を上方へ引き上げた後（図８（ｂ））、前方へと倒すようにしている（図８（ｃ））。
【００５３】
係合具４９を前方へ倒し、ここでは図示を省略したが、配電盤１の格納部１０側に設けられた梁部材１６（図９および図１０を参照）に係止させた後、図７（ｃ）に示すように、ストッパ４４１を開放して架台４７を前方へ倒す。その後、係合具４９をケージ４側に引き込み、ケージ４を格納部１０の前側にしっかりと固定する。
【００５４】
この際、図８（ｄ）に示すように、係合具取付部５０に設けた固定ネジ５１を係合具４９の基端部に螺合させることにより、係合具４９を引き込んで固定する。
【００５５】
図７に示す手順により、図９〜図１１に示すように、ケージ４を配電盤１の前側にしっかりと固定することができる。
【００５６】
すなわち、図９および図１０に示すように、吊具５の上部支柱６２を、所望の列で合わせて旋回させ、巻上ウインチ７で空のケージ４を吊り上げる。そして、所望する段の格納部１０に位置を合わせて引き上げを停止し、上述した手順（図７を参照）により、固定部（支持具４８および係合具４９）および架台４７を用いてケージ４を配電盤１の前側に固定する。
【００５７】
ケージ４は、係合具４９を介して配電盤１の梁部材１６にしっかりと固定されるとともに、ケージ４と格納部１０との間の隙間には、架台４７が掛け渡されている（図１０）なお、本実施形態に係る搬出入装置２では、図示するように、架台４７と格納部１０との間に補助板１１０を設置している。すなわち、本実施形態における配電盤１は、格納部１０の内部において実質的に電気機器３を載置する面と、配電盤１の前面との間に内部間隙が形成されているため、かかる内部間隙を補助板１１０によって埋めている。
【００５８】
したがって、図１１に示すように、格納部１０内の電気機器３を円滑にケージ４へと移動させることができる。なお、当然ながら、その反対に、ケージ４に収納していた電気機器３を格納部１０内に移動させることも円滑に行える。
【００５９】
このように、ケージ４に、配電盤１の前面に当接自在とした支持具４８と、ケージ４を配電盤１から所定間隔だけ離隔させた状態で配電盤１側と係合して当該ケージ４を保持する係合具４９とを有する固定部を有し、ケージ４自体を配電盤１に固定可能としている。したがって、ケージ４は、上下、左右および前後方向へずれることがなく、電気機器３の配電盤１からケージ４への搬出を円滑かつ安全に行うことができる。なお、ここでは、電気機器３を配電盤１からケージ４に移すことを想定しているが、当然ながら、ケージ４から配電盤１への搬入作業においても同様である。
【００６０】
ところで、電気機器３を格納部１０内から引き出す際には、ケージ４に設けた巻取ウインチ８を用いる。図１２は、巻取ウインチ８の説明図、図１３は、ワイヤガイド部８５の説明図である。
【００６１】
図１２に示すように、巻取ウインチ８は、ケージ４の座部４１の一長辺側に着脱自在に設けられている。巻取ウインチ８は、巻取ワイヤ８３を巻回するドラム部８１と、このドラム部８１を手動により回転させることのできるハンドル８２とを備えている。
【００６２】
かかる巻取ウインチ８を設けたことで、図１２および図１３に示すように、電気機器３の前側面に設けたグリップ部３１に連結具８４を係合し、ハンドル８２を回して巻取ワイヤ８３をドラム部８１に巻き取ることで、重量物である電気機器３を容易にケージ４内へと移動させることができる。しかも、巻取ウインチ８は着脱自在としているため、無用の場合は取り外しておけばよく、ケージ４から邪魔な突出部分がなくなるとともに、軽量化を図ることができる。
【００６３】
巻取ワイヤ８３は、先端に、電気機器３に連結するカラビナなどの連結具８４を取付けており、ドラム部８１からケージ４の後方、すなわち、図１２における手前側に引き出されている。そして、巻取ワイヤ８３は、ケージ４の枠体４０の後端縁に沿って設けられたワイヤガイド部８５を経由してケージ４の略中央に向きが変えられるようになっている。
【００６４】
ワイヤガイド部８５は、図示するように、ケージ４の枠体４０の後端縁の略中央位置と、巻取ウインチ８側の端位置とにガイドローラ８５１，８５１を備えた構成としている。
【００６５】
このように、ケージ４は、巻取ウインチ８と電気機器３とを連結する巻取ワイヤ８３を案内するワイヤガイド部８５を備えているため、巻取ウインチ８による電気機器３の引き出し作業を容易に行うことができる。
【００６６】
また、前述したように、電気機器３には４つのキャスタ３２が設けられているが、図１３に示すように、ケージ４の座部４１には、４つのキャスタ３２のうち、すくなくとも２つの前側のキャスタ３２，３２を落とし込む凹部４１０が設けられている。
【００６７】
したがって、巻取ウインチ８によってケージ４内に収納された電気機器３は、前側のキャスタ３２，３２が凹部４１０に落とし込まれて転動が規制される。そのため、重量物である電気機器３が、何らかの拍子にケージ４内で転がり移動することを未然に防止することができる。
【００６８】
電気機器３のキャスタ３２，３２を凹部４１０に落とし込んだ後、さらに、機器固定具９を用いることによって、より確実に電気機器３を保持することができる。すなわち、ケージ４は、電気機器３を当該ケージ４に収納した状態で当該ケージ４と固定する機器固定具９を備えている。
【００６９】
図１４は、ケージ４が備える機器固定具９の説明図である。図示するように、機器固定具９は、座部４１の後端縁の略中央に位置する前述のワイヤガイド部８５のガイドローラ８５１と前後方向に重なるように設けられている。
【００７０】
機器固定具９は、ケージ４の座部４１に立設したガイド板９３と、このガイド板９３に沿って上下に摺動するとともに、電気機器３のグリップ部３１に係合可能な二又のフック部９１，９１が形成されたフックプレート９０とを備えている。
【００７１】
ガイド板９３には、左右一対の固定ボルト９４，９４が水平方向へ突設される一方、フックプレート９０には、各固定ボルト９４を挿通する長孔９２が各フック部９１の基部側に設けられている。固定ボルト９４は、フックプレート９０を固定可能であることは勿論のこと、フックプレート９０の上下摺動を円滑に行わせる摺動規定ピンとしての機能をも有する。
【００７２】
かかる構成により、以下の手順によって電気機器３を、ケージ４に確実に固定することができる。すなわち、図１４（ａ）に示すように、フックプレート９０を上方へ引き上げた状態で固定ボルト９４で固定しておき、格納部１０内の電気機器３を、巻取ウインチ８により前方へ移動させてケージ４内に収納する。このとき、巻取ウインチ８の巻取ワイヤ８３は、フック部９１，９１の二又部分を通っている。
【００７３】
次いで、図１４（ｂ）に示すように、固定ボルト９４を緩めてフックプレート９０を降下させ、フック部９１，９１を電気機器３のグリップ部３１に係合し、その状態で固定ボルト９４を締めて固定する。
【００７４】
このように、電気機器３をケージ４にしっかりと固定させることで、ケージ４を昇降させたり、あるいは、電気機器３を収納したケージ４を床面上で走行移動させたりする際に、電気機器３がケージ４から脱落することを防止することができる。
【００７５】
（他の実施形態）
上述してきた実施形態においては、吊具５は、下部支柱６１を配電盤１の天井面１４に直接立設した構成とした。しかし、例えば、図１５に示す構成とすることもできる。図１５は、他の実施形態に係る吊具５の説明図である。
【００７６】
図示するように、本実施形態における吊具５は、配電盤１の天井面１４に、格納部１０が多段に形成された複数の列に一対一で対応する支柱取付部５５を形成し、支柱取付部５５に支柱６を着脱自在に取付可能としている。
【００７７】
本実施形態に係る支柱６についても、先の実施形態同様、下部支柱６１と上部支柱６２とを備えており、下部支柱６１は、各支柱取付部５５に選択的に着脱可能に構成されている。そして、上部支柱６２は、下部支柱６１から水平方向に伸延し、長手方向の所定位置に巻上ウインチ７を取付け可能としたウインチ取付部６４が形成されている。
【００７８】
このように、本実施形態では、配電盤１は、格納部１０に対応する位置に支柱６を取付ける支柱取付部５５が設けられており、かかる支柱取付部５５に支柱６を着脱自在に取付可能としている。
【００７９】
したがって、この種の搬出入装置２は、場合によっては不要な時期が長いことも考えられるが、本実施形態の構成としたことにより、通常は、支柱６および巻上ウインチ７を他所に保管しておき、必要に応じて用意すればよいことになる。
【００８０】
以上、実施形態を通して説明してきた上述の搬出入装置２は、配電盤１などが、たとえ狭隘な場所に設置されていても、当該配電盤１の中に多段に配設された重量のある電気機器３を搬出したり、あるいは、配電盤１内に新たな電気機器３を搬入したりする作業を、容易かつ安全に行うことができる。
【００８１】
ところで、上述してきた各実施形態では、搬出入装置２における吊具５の支柱６を、配電盤１の天井面１４に設けるものとして説明した。しかし、設置箇所は天井面１４に限るものではなく、各格納部１０に対応する位置であればよい。例えば、支柱６を配電盤１の側面に取付けて、格納部１０の上方に延在させる構成とすることもできる。
【００８２】
また、吊具５のウインチ取付部６４は、上部支柱６２の水平部材６２２の左右にフランジを形成し、これをレールとして機能させて巻上ウインチ７を上部支柱６２の長手方向の所定位置に取付け可能とした。しかし、ウインチ取付部６４の構成は、それに限らず、例えば、上部支柱６２の旋回角度に応じた位置に巻上ウインチ７の上部フック７３を係止する穴を設けてウインチ取付部６４とすることもできる。
【００８３】
また、上述の各実施形態では、ケージ４の固定部としては、いずれもケージ４の下側に配置された支持具４８と係合具４９とを備える構成としたが、より安全性を高めるために、さらにケージ４の上側にも配電盤１側と連結可能な固定部を適宜設けることができる。この場合、ボルトなどの締結部材で構成してもよいし、上述の係合具４９と同様な係止部材で構成してもよい。
【００８４】
また、上述してきた電気機器３は、４つのキャスタ３２を備えたものとしており、ケージ４の座部４１に係止した凹部４１０は、４つのキャスタ３２のうち、前輪となる２つのキャスタ３２，３２を落とし込むものとした。しかし、キャスタ３２の数は何ら限定されず、凹部４１０も、複数のキャスタ３２のうち、すくなくとも１つのキャスタ３２を落とし込むことができればよい。
【００８５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８６】
１    配電盤
２    搬出入装置
３    電気機器
４    ケージ
５    吊具
６    支柱
７    巻上ウインチ
８    巻取ウインチ
９    機器固定具
１０    格納部
１４    天井面
３２    キャスタ
４０    枠体
４１    座部
４２    アイボルト（連結部）
４３    走行輪
４７    架台
４８    支持具
４９    係合具
５５    支柱取付部
６１    下部支柱
６２    上部支柱
６３    位置決め部
６４    ウインチ取付部
８３    巻取ワイヤ
８５    ワイヤガイド部
４１０    凹部
６１５，６１６，６１７    補強リブ
【図１】
0005578213.tif 000002
【図２Ａ】
0005578213.tif 000003
【図２Ｂ】
0005578213.tif 000004
【図３Ａ】
0005578213.tif 000005
【図３Ｂ】
0005578213.tif 000006
【図４Ａ】
0005578213.tif 000007
【図４Ｂ】
0005578213.tif 000008
【図４Ｃ】
0005578213.tif 000009
【図４Ｄ】
0005578213.tif 000010
【図５Ａ】
0005578213.tif 000011
【図５Ｂ】
0005578213.tif 000012
【図５Ｃ】
0005578213.tif 000013
【図５Ｄ】
0005578213.tif 000014
【図６】
0005578213.tif 000015
【図７】
0005578213.tif 000016
【図８】
0005578213.tif 000017
【図９】
0005578213.tif 000018
【図１０】
0005578213.tif 000019
【図１１】
0005578213.tif 000020
【図１２】
0005578213.tif 000021
【図１３】
0005578213.tif 000022
【図１４】
0005578213.tif 000023
【図１５】
0005578213.tif 000024